(57)【特許請求の範囲】
【請求項１】
第１の端子、第２の端子、及び第３の端子と、
前記第１の端子、前記第２の端子、及び前記第３の端子に接続される電子回路とを備え、
前記電子回路は、前記第２の端子に電力が重畳されている場合に第１の接点を選択し前記第３の端子に電力が重畳されている場合に第２の接点を選択する単極双投スイッチと、第１の回路部と、第２の回路部と、第３の回路部とを有し、
前記単極双投スイッチが前記第１の接点を選択すると前記第１の回路部及び前記第２の回路部に信号が伝送され前記第３の回路部に信号が伝送されなくなることで前記電子回路の動作内容が第１の動作内容になり、前記単極双投スイッチが前記第２の接点を選択すると前記第１の回路部及び前記第３の回路部に信号が伝送され前記第２の回路部に信号が伝送されなくなることで前記電子回路の動作内容が第２の動作内容になり、
前記電子回路の動作内容が前記第１の動作内容である場合に、前記第１の端子が第１の機能を担い、前記第２の端子が第２の機能を担い、前記第３の端子が第３の機能を担い、
前記電子回路の動作内容が前記第２の動作内容である場合に、前記第２の端子が第４の機能を担い、前記第３の端子が第５の機能を担い、前記第１の端子が前記第１の機能又は第６の機能を担うことを特徴とする電子機器。
【請求項２】
前記第１の回路部が、前記第２の端子又は前記第３の端子に重畳される電力によって駆動する回路を有することを特徴とする請求項１に記載の電子機器。
【発明の詳細な説明】
【技術分野】
【０００１】
本発明は、複数の端子を備える電子機器に関し、特に、入力端子または出力端子に外部から電力が重畳される電子機器に関する。
【背景技術】
【０００２】
複数の端子を備える電子機器の一例として、ブースターが挙げられる。従来のブースターは例えば特許文献１に開示されている。ここで、特許文献１に開示されている従来のブースターの回路構成を図５に示す。
【０００３】
図５に示す従来のブースターは、ＶＨＦ帯域のテレビジョン放送信号が入力されるＶＨＦ入力端子１０１と、ＵＨＦ帯域のテレビジョン放送信号またはＵＨＦ帯域のテレビジョン放送信号とＶＨＦ帯域のテレビジョン放送信号との混合信号が入力されるＵＨＦ／ＵＨＦ・ＶＨＦ入力端子１０２と、衛星放送中間周波（ＢＳ−ＩＦ）信号が入力されるＢＳ−ＩＦ入力端子１０３とを備える。
【０００４】
また、図５に示す従来のブースターは、手動開閉スイッチ１０４と、フィルタ１０５〜１０７と、ゲインコントロール部１０８〜１１０と、アンプ１１１〜１１３と、混合器１１４と、分岐器１１５とを備える。
【０００５】
さらに、図５に示す従来のブースターは、分岐器１１５の幹線出力を外部に出力するための出力端子１１６と、分岐器１１５の分岐出力を外部に出力するためのモニター端子１１７とを備えている。
【０００６】
なお、図５に示す従来のブースターは、入力端子または出力端子に外部から電力が重畳される仕様ではないが、例えば、図６に示すように、出力端子１１６が高周波阻止用コイル１１８を介してアンプ１１１〜１１３の電源端子に接続される構成に変形することで、出力端子１１６に外部から重畳される所定のＤＣ電力がアンプ１１１〜１１３の電源端子に供給され、その所定のＤＣ電力によってアンプ１１１〜１１３が駆動する仕様にすることができる。
【先行技術文献】
【特許文献】
【０００７】
【特許文献１】特開２００８−１９３３６０号公報（第２図）
【発明の概要】
【発明が解決しようとする課題】
【０００８】
上述した図５に示す従来のブースターや図６に示すブースターでは、各端子の担う機能が固定されており、端子数が多くなってしまうという課題があった。この課題は、ブースターに限らず、複数の端子を備える電子機器全般に共通する課題である。
【０００９】
本発明は、上記の状況に鑑み、端子数の低減を図ることができる電子機器を提供することを目的とする。
【課題を解決するための手段】
【００１０】
上記目的を達成するために本発明に係る電子機器は、複数の端子と、前記複数の端子に接続される電子回路とを備え、前記複数の端子において電力が重畳される端子が変更されることで、前記電子回路の動作内容を変更して前記複数の端子の少なくとも一つが担う機能を変更する構成としている。
【００１１】
このような構成によると、電力が重畳される端子を変更することで、少なくとも一つの端子が担う機能を変更することができる。これにより、各端子の担う機能が固定される構成に比べて、端子数を少なくすることができる。
【００１２】
なお、前記複数の端子において電力が重畳される端子が変更されることで、前記電子回路の動作内容を変更して前記複数の端子の少なくとも二つが担う機能をそれぞれ変更することが望ましい。
【００１３】
また、前記電子回路が、前記複数の端子のいずれかに重畳される電力によって駆動する回路を備えることが望ましい。
【発明の効果】
【００１４】
本発明に係る電子機器によると、電力が重畳される端子を変更することで、少なくとも一つの端子が担う機能を変更することができるので、各端子の担う機能が固定される構成に比べて、端子数を少なくすることができる。
【図面の簡単な説明】
【００１５】
【図１Ａ】本発明の第１実施形態に係るブースターの回路構成を示す図である。
【図１Ｂ】本発明の第１実施形態に係るブースターの使用状態例を示す図である。
【図１Ｃ】本発明の第１実施形態に係るブースターの他の使用状態例を示す図である。
【図２Ａ】本発明の第２実施形態に係るブースターの回路構成を示す図である。
【図２Ｂ】本発明の第２実施形態に係るブースターの使用状態例を示す図である。
【図２Ｃ】本発明の第２実施形態に係るブースターの他の使用状態例を示す図である。
【図３Ａ】本発明の第３実施形態に係るブースターの回路構成を示す図である。
【図３Ｂ】本発明の第３実施形態に係るブースターの使用状態例を示す図である。
【図３Ｃ】本発明の第３実施形態に係るブースターの他の使用状態例を示す図である。
【図４Ａ】本発明の第４実施形態に係るブースターの回路構成を示す図である。
【図４Ｂ】本発明の第４実施形態に係るブースターの使用状態例を示す図である。
【図４Ｃ】本発明の第４実施形態に係るブースターの他の使用状態例を示す図である。
【図５】従来のブースターの回路構成を示す図である。
【図６】図５に示す従来のブースターの変形例を示す図である。
【発明を実施するための形態】
【００１６】
本発明の実施形態について図面を参照して以下に説明する。本発明は、複数の端子を備え、入力端子または出力端子に外部から電力が重畳される電子機器全般に適用することができるが、ここでは、当該電子機器の一例であるブースター（分配機能を有するブースターを含む）に本発明を適用した場合を例に挙げて説明する。
【００１７】
＜第１実施形態＞
図１Ａに示す本発明の第１実施形態に係るブースターは、第１端子Ｔ１と、第２端子Ｔ２と、第３端子Ｔ３とを備える。また、図１Ａに示す本発明の第１実施形態に係るブースターは、第１端子Ｔ１、第２端子Ｔ２、および第３端子Ｔ３とに接続される電子回路を備える。当該電子回路は、アンプＡ１と、ＵＨＦ帯域の信号を通過させＵＨＦ帯域以外の信号を遮断するＵＨＦ帯域通過フィルタ１と、減衰器２と、ＣＳ／ＢＳ−ＩＦ帯域の信号を通過させＣＳ／ＢＳ−ＩＦ帯域以外の信号を遮断するＣＳ／ＢＳ−ＩＦ帯域通過フィルタ３と、直流阻止用コンデンサＣ１と、ダイオードＤ１およびＤ２と、高周波阻止用コイルＭ１〜Ｍ３と、抵抗Ｒ１と、単極双投スイッチＳＷ１とによって構成される。
【００１８】
第１端子Ｔ１は、アンプＡ１を介してＵＨＦ帯域通過フィルタ１の入力端に接続される。ＵＨＦ帯域通過フィルタ１の出力端は、単極双投スイッチＳＷ１の接点ａと、減衰器２の入力端と、ダイオードＤ２のカソードと、抵抗Ｒ１の一端とに接続される。単極双投スイッチＳＷ１の極は直流阻止用コンデンサＣ１を介して第２端子Ｔ２に接続される。単極双投スイッチＳＷ１の接点ｂはＣＳ／ＢＳ−ＩＦ帯域通過フィルタ３の入力端に接続される。ダイオードＤ２のアノードと、減衰器２の出力端と、ＣＳ／ＢＳ−ＩＦ帯域通過フィルタ３の出力端とは第３端子Ｔ３に接続され、抵抗Ｒ１の他端はグランド電位に接続される。
【００１９】
また、高周波阻止用コイルＭ２の一端は第３端子Ｔ３に接続され、高周波阻止用コイルＭ２の他端は単極双投スイッチＳＷ１の制御端子とダイオードＤ１のアノードに接続される。ダイオードＤ１のカソードは高周波阻止用コイルＭ３の一端に接続され、高周波阻止用コイルＭ３の他端は第２端子Ｔ２と高周波阻止用コイルＭ１の一端とに接続される。高周波阻止用コイルＭ１の他端はアンプＡ１の電源端子に接続される。
【００２０】
なお、単極双投スイッチＳＷ１は、制御端子に所定のＤＣ電力（例えばＤＣ１５Ｖ電力）が供給されていない場合に接点ａを選択し、制御端子に所定のＤＣ電力が供給されている場合に接点ｂを選択する。
【００２１】
上記のような構成である図１Ａに示す本発明の第１実施形態に係るブースターの動作について説明する。
【００２２】
まず、第２端子Ｔ２に所定のＤＣ電力を重畳した場合の動作について説明する。この場合、第３端子Ｔ３に所定のＤＣ電力が重畳されないので、単極双投スイッチＳＷ１の制御端子に所定のＤＣ電力が供給されず、単極双投スイッチＳＷ１は接点ａを選択する。また、第３端子Ｔ３に所定のＤＣ電力が重畳されないので、ダイオードＤ１およびＤ２はともにオフ状態になる。そして、第２端子Ｔ２に外部から重畳される所定のＤＣ電力は高周波阻止用コイルＭ１を介してアンプＡ１の電源端子に供給され、その所定のＤＣ電力によってアンプＡ１が駆動する。
【００２３】
その結果、第１端子Ｔ１はＵＨＦ帯域のテレビジョン放送信号を入力する機能を担い、第２端子Ｔ２はＵＨＦ帯域のテレビジョン放送信号を出力する機能を担い、第３端子Ｔ３はＵＨＦ帯域のテレビジョン放送信号出力をモニターするための出力モニター信号を出力する機能を担う。そこで、例えば、図１Ｂに示すように、第１端子Ｔ１にＵＨＦアンテナ２０１を接続し、第２端子Ｔ２にＤＣ電源供給器２０２を介してテレビジョン放送受信機２０３を接続し、第３端子Ｔ３に測定器（レベルチェッカー）２０４を接続するとよい。
【００２４】
第１端子Ｔ１に入力されたＵＨＦ帯域のテレビジョン放送信号は、アンプＡ１によって増幅され、ＵＨＦ帯域通過フィルタ１を通過する。ＵＨＦ帯域通過フィルタ１を通過した信号（増幅されたＵＨＦ帯域のテレビジョン放送信号）は、単極双投スイッチＳＷ１および直流阻止用コンデンサＣ１を経由して第２端子Ｔ２から出力されるとともに、減衰器２によって減衰され第３端子Ｔ３から出力モニター信号として出力される。
【００２５】
したがって、第２端子Ｔ２に所定のＤＣ電力を重畳することで、出力レベルをモニターできる。これにより、本発明の第１実施形態に係るブースターをＵＨＦブースターとして使用し、ＵＨＦアンテナ２０１で受信したＵＨＦ帯域のテレビジョン放送信号の増幅後のレベルを出力モニター端子（第３端子Ｔ３）より測定器（レベルチェッカー）２０４を用いて確認することができる。また、出力モニター端子（第３端子Ｔ３）から出力される出力モニター信号のレベルを確認しながら、ＵＨＦアンテナ２０１を最良の方向（送信局側）に調整することもできる。
【００２６】
次に、第３端子Ｔ３に所定のＤＣ電力を重畳した場合の動作について説明する。この場合、第３端子Ｔ３に所定のＤＣ電力が重畳されるので、単極双投スイッチＳＷ１の制御端子に所定のＤＣ電力が供給され、単極双投スイッチＳＷ１は接点ｂを選択する。また、第３端子Ｔ３に所定のＤＣ電力が重畳されるので、ダイオードＤ１およびＤ２はともにオン状態になる。そして、第３端子Ｔ３に外部から重畳される所定のＤＣ電力は高周波阻止用コイルＭ２、オン状態であるダイオードＤ１、高周波阻止用コイルＭ３、および高周波阻止用コイルＭ１を介してアンプＡ１の電源端子に供給され、その所定のＤＣ電力によってアンプＡ１が駆動する。また、第３端子Ｔ３に外部から重畳される所定のＤＣ電力は高周波阻止用コイルＭ２、オン状態であるダイオードＤ１、および高周波阻止用コイルＭ３を介して第２端子Ｔ２に供給される。
【００２７】
その結果、第１端子Ｔ１はＵＨＦ帯域のテレビジョン放送信号を入力する機能を担い、第２端子Ｔ２はＣＳ／ＢＳ−ＩＦ帯域のテレビジョン放送中間周波信号を入力する機能および所定のＤＣ電力を出力する機能を担い、第３端子Ｔ３はＵＨＦ帯域のテレビジョン放送信号とＣＳ／ＢＳ−ＩＦ帯域のテレビジョン放送中間周波信号との混合信号を出力する機能を担う。そこで、例えば、図１Ｃに示すように、第１端子Ｔ１にＵＨＦアンテナ２０１を接続し、第２端子Ｔ２にＢＳ／ＣＳ受信用パラボラアンテナ２０５に付属しているコンバータ（ＣＳ／ＢＳ−ＲＦ帯域のテレビジョン放送高周波信号をＣＳ／ＢＳ−ＩＦ帯域のテレビジョン放送中間周波信号に周波数変換する変換器）２０６に接続し、第３端子Ｔ３にＤＣ電源供給器２０２を介してテレビジョン放送受信機２０３を接続するとよい。
【００２８】
第１端子Ｔ１に入力されたＵＨＦ帯域のテレビジョン放送信号は、アンプＡ１によって増幅され、ＵＨＦ帯通過フィルタ１を通過し、オン状態であるダイオードＤ２よりも減衰器２の方がインピーダンスが大きいために減衰器２は経由せずにオン状態であるダイオードＤ２を経由して第３端子Ｔ３に伝送される。第２端子Ｔ２に入力されたＣＳ／ＢＳ−ＩＦ帯域のテレビジョン放送中間周波信号は、直流阻止用コンデンサＣ１および単極双投スイッチＳＷ１を経由してＣＳ／ＢＳ−ＩＦ帯域通過フィルタ３を通過して第３端子Ｔ３に伝送される。そして、第２端子Ｔ２からは所定のＤＣ電力が出力され、第３端子Ｔ３からはＵＨＦ帯域のテレビジョン放送信号とＣＳ／ＢＳ−ＩＦ帯域のテレビジョン放送中間周波信号との混合信号が出力される。なお、第２端子Ｔ２から出力される所定のＤＣ電力は、ＢＳ／ＣＳ受信用パラボラアンテナ２０５に付属しているコンバータ２０６の駆動電力として利用することができる。
【００２９】
したがって、例えばＵＨＦとＣＳ／ＢＳ対応の混合仕様にするときには、第３端子Ｔ３に所定のＤＣ電力を重畳するとよい。
【００３０】
上記の通り、所定のＤＣ電力が重畳される端子を変更することで第２端子Ｔ２が担う機能と第３端子Ｔ３が担う機能を変更することができる。これにより、各端子の担う機能が固定される構成に比べて、端子数を少なくすることができる。
【００３１】
＜第２実施形態＞
図２Ａに示す本発明の第２実施形態に係るブースターは、第１端子Ｔ１１と、第２端子Ｔ１２と、第３端子Ｔ１３とを備える。また、図２Ａに示す本発明の第２実施形態に係るブースターは、第１端子Ｔ１１、第２端子Ｔ１２、および第３端子Ｔ１３とに接続される電子回路を備える。当該電子回路は、分岐器１０と、アンプＡ１１と、ＵＨＦ帯域の信号を通過させＵＨＦ帯域以外の信号を遮断するＵＨＦ帯域通過フィルタ１１と、減衰器１２と、ＣＳ／ＢＳ−ＩＦ帯域の信号を通過させＣＳ／ＢＳ−ＩＦ帯域以外の信号を遮断するＣＳ／ＢＳ−ＩＦ帯域通過フィルタ１３と、直流阻止用コンデンサＣ１１およびＣ１２と、ダイオードＤ１１〜Ｄ１３と、高周波阻止用コイルＭ１１〜Ｍ１５と、抵抗Ｒ１１と、単極双投スイッチＳＷ１１とによって構成される。
【００３２】
第１端子Ｔ１１は、分岐器１０の入力端に接続される。分岐器１０の幹線出力端はアンプＡ１１を介してＵＨＦ帯域通過フィルタ１１の入力端に接続される。ＵＨＦ帯域通過フィルタ１１の出力端は、ＣＳ／ＢＳ−ＩＦ帯域通過フィルタ１３の出力端に接続されるとともに、直流阻止用コンデンサＣ１１を介して第２端子Ｔ１２に接続される。分岐器１０の分岐出力端は減衰器１２の入力端に接続され、減衰器１２の出力端は単極双投スイッチＳＷ１１の接点ａに接続される。ＣＳ／ＢＳ−ＩＦ帯域通過フィルタ１３の入力端は、ダイオードＤ１２のカソードと、抵抗Ｒ１１の一端とに接続される。ダイオードＤ１２のアノードは単極双投スイッチＳＷ１１の接点ｂに接続され、抵抗Ｒ１１の他端はグランド電位に接続される。第３端子Ｔ１３は直流阻止用コンデンサＣ１２を介して単極双投スイッチＳＷ１１の極に接続される。
【００３３】
また、第２端子Ｔ１２は高周波阻止用コイルＭ１１を介してダイオードＤ１１のアノードに接続され、ダイオードＤ１１のカソードはアンプＡ１１の電源端子に接続される。第３端子Ｔ１３は高周波阻止用コイルＭ１２の一端に接続される。高周波阻止用コイルＭ１２の他端は単極双投スイッチＳＷ１１の制御端子および高周波阻止用コイルＭ１３の一端に接続される。高周波阻止用コイルＭ１３の他端は高周波阻止用コイルＭ１５の一端およびダイオードＤ１３のアノードに接続され、高周波阻止用コイルＭ１５の他端は単極双投スイッチＳＷ１１の接点ｂおよびダイオード１２のアノードに接続される。ダイオードＤ１３のカソードは高周波阻止用コイルＭ１４を介してアンプＡ１１の電源端子に接続される。
【００３４】
なお、単極双投スイッチＳＷ１１は、制御端子に所定のＤＣ電力（例えばＤＣ１５Ｖ電力）が供給されていない場合に接点ａを選択し、制御端子に所定のＤＣ電力が供給されている場合に接点ｂを選択する。
【００３５】
上記のような構成である図２Ａに示す本発明の第２実施形態に係るブースターの動作について説明する。
【００３６】
まず、第２端子Ｔ１２に所定のＤＣ電力を重畳した場合の動作について説明する。この場合、第３端子Ｔ１３に所定のＤＣ電力が重畳されないので、単極双投スイッチＳＷ１１の制御端子に所定のＤＣ電力が供給されず、単極双投スイッチＳＷ１１は接点ａを選択する。また、第３端子Ｔ１３に所定のＤＣ電力が重畳されないので、ダイオードＤ１２およびＤ１３はともにオフ状態になる。一方、第２端子Ｔ１２に所定のＤＣ電力が重畳されるので、ダイオードＤ１１はオン状態になる。そして、第２端子Ｔ１２に外部から重畳される所定のＤＣ電力は高周波阻止用コイルＭ１１とオン状態であるダイオードＤ１１とを介してアンプＡ１１の電源端子に供給され、その所定のＤＣ電力によってアンプＡ１１が駆動する。
【００３７】
その結果、第１端子Ｔ１１はＵＨＦ帯域のテレビジョン放送信号を入力する機能を担い、第２端子Ｔ１２はＵＨＦ帯域のテレビジョン放送信号を出力する機能を担い、第３端子Ｔ１３はＵＨＦ帯域のテレビジョン放送信号入力をモニターするための入力モニター信号を出力する機能を担う。そこで、例えば、図２Ｂに示すように、第１端子Ｔ１１にＵＨＦアンテナ３０１を接続し、第２端子Ｔ１２にＤＣ電源供給器３０２を介してテレビジョン放送受信機３０３を接続し、第３端子Ｔ１３に測定器（レベルチェッカー）３０４を接続するとよい。
【００３８】
第１端子Ｔ１１に入力されたＵＨＦ帯域のテレビジョン放送信号は、分岐器１０の幹線側を経由してアンプＡ１１に伝送され、アンプＡ１１によって増幅され、ＵＨＦ帯域通過フィルタ１１を通過する。ＵＨＦ帯域通過フィルタ１１を通過した信号（増幅されたＵＨＦ帯域のテレビジョン放送信号）は、直流阻止用コンデンサＣ１１を経由して第２端子Ｔ１２から出力される。
【００３９】
また、第１端子Ｔ１１に入力されたＵＨＦ帯域のテレビジョン放送信号は、分岐器１０の分岐側を経由して減衰器１２に伝送され、減衰器１２によって減衰され、単極双投スイッチＳＷ１１および直流阻止用コンデンサＣ１２を経由して第３端子Ｔ１３から入力モニター信号として出力される。
【００４０】
したがって、第２端子Ｔ１２に所定のＤＣ電力を重畳することで、入力レベルをモニターできる。これにより、本発明の第２実施形態に係るブースターをＵＨＦブースターとして使用し、ＵＨＦアンテナ３０１で受信したＵＨＦ帯域のテレビジョン放送信号の増幅前のレベルを入力モニター端子（第３端子Ｔ１３）より測定器（レベルチェッカー）３０４を用いて確認することができる。また、入力モニター端子（第３端子Ｔ１３）から出力される入力モニター信号のレベルを確認しながら、ＵＨＦアンテナ３０１を最良の方向（送信局側）に調整することもできる。
【００４１】
次に、第３端子Ｔ１３に所定のＤＣ電力を重畳した場合の動作について説明する。この場合、第３端子Ｔ１３に所定のＤＣ電力が重畳されるので、単極双投スイッチＳＷ１１の制御端子に所定のＤＣ電力が供給され、単極双投スイッチＳＷ１１は接点ｂを選択する。また、第３端子Ｔ１３に所定のＤＣ電力が重畳されるので、ダイオードＤ１２およびＤ１３はともにオン状態になる。一方、第２端子Ｔ１２に所定のＤＣ電力が重畳されないので、ダイオードＤ１１はオフ状態になる。そして、第３端子Ｔ１３に外部から重畳される所定のＤＣ電力は高周波阻止用コイルＭ１２、高周波阻止用コイルＭ１３、オン状態であるダイオードＤ１３、および高周波阻止用コイルＭ１４を介してアンプＡ１１の電源端子に供給され、その所定のＤＣ電力によってアンプＡ１１が駆動する。
【００４２】
その結果、第１端子Ｔ１１はＵＨＦ帯域のテレビジョン放送信号を入力する機能を担い、第２端子Ｔ１２はＵＨＦ帯域のテレビジョン放送信号とＣＳ／ＢＳ−ＩＦ帯域のテレビジョン放送中間周波信号との混合信号を出力する機能を担い、第３端子Ｔ１３はＣＳ／ＢＳ−ＩＦ帯域のテレビジョン放送中間周波信号を入力する機能を担う。そこで、例えば、図２Ｃに示すように、第１端子Ｔ１１にＵＨＦアンテナ３０１を接続し、第２端子Ｔ１２にテレビジョン放送受信機３０３を接続し、第３端子Ｔ１３にＤＣ電源供給器３０５を介してＢＳ／ＣＳ受信用パラボラアンテナ３０６に付属しているコンバータ３０７を接続するとよい。
【００４３】
第１端子Ｔ１１に入力されたＵＨＦ帯域のテレビジョン放送信号は、分岐器１０の幹線側を経由してアンプＡ１１に伝送され、アンプＡ１１によって増幅され、ＵＨＦ帯通過フィルタ１１を通過し、直流阻止用コンデンサＣ１１を経由して第２端子Ｔ１２に伝送される。第３端子Ｔ１３に入力されたＣＳ／ＢＳ−ＩＦ帯域のテレビジョン放送中間周波信号は、直流阻止用コンデンサＣ１２、単極双投スイッチＳＷ１１、およびオン状態であるダイオードＤ１２を経由してＣＳ／ＢＳ−ＩＦ帯域通過フィルタ１３を通過し、直流阻止用コンデンサＣ１１を経由して第２端子Ｔ１２に伝送される。そして、第２端子Ｔ１２からはＵＨＦ帯域のテレビジョン放送信号とＣＳ／ＢＳ−ＩＦ帯域のテレビジョン放送中間周波信号との混合信号が出力される。
【００４４】
したがって、例えばＵＨＦとＣＳ／ＢＳ対応の混合仕様にするときには、第３端子Ｔ１３に所定のＤＣ電力を重畳するとよい。
【００４５】
上記の通り、所定のＤＣ電力が重畳される端子を変更することで第２端子Ｔ１２が担う機能と第３端子Ｔ１３が担う機能を変更することができる。これにより、各端子の担う機能が固定される構成に比べて、端子数を少なくすることができる。
【００４６】
＜第３実施形態＞
図３Ａに示す本発明の第３実施形態に係るブースターは、第１端子Ｔ２１と、第２端子Ｔ２２と、第３端子Ｔ２３とを備える。また、図３Ａに示す本発明の第３実施形態に係るブースターは、第１端子Ｔ２１、第２端子Ｔ２２、および第３端子Ｔ２３とに接続される電子回路を備える。当該電子回路は、アンプＡ２１と、７０〜７７０ＭＨｚ帯域の信号を通過させ７０〜７７０ＭＨｚ帯域以外の信号を遮断する７０〜７７０ＭＨｚ帯域通過フィルタ２０と、ＵＨＦ帯域の信号を通過させＵＨＦ帯域以外の信号を遮断するＵＨＦ帯域通過フィルタ２１と、減衰器２２および２３と、直流阻止用コンデンサＣ２１およびＣ２２と、ダイオードＤ２１〜Ｄ２４と、高周波阻止用コイルＭ２１〜Ｍ２３と、抵抗Ｒ２１およびＲ２２と、単極双投スイッチＳＷ２１とによって構成される。
【００４７】
第１端子Ｔ２１は、アンプＡ２１を介して７０〜７７０ＭＨｚ帯域通過フィルタ２０の入力端に接続される。７０〜７７０ＭＨｚ帯域通過フィルタ２０の出力端は、単極双投スイッチＳＷ２１の接点ａと、ＵＨＦ帯域通過フィルタ２１の入力端と、減衰器２２の入力端とに接続される。単極双投スイッチＳＷ２１の極は直流阻止用コンデンサＣ２１を介して第２端子Ｔ２２に接続される。単極双投スイッチＳＷ２１の接点ｂは減衰器２３の出力端に接続される。ＵＨＦ帯域通過フィルタ２１の出力端は直流阻止用コンデンサＣ２２を介してダイオードＤ２２のカソードと抵抗Ｒ２１の一端に接続され、減衰器２３の入力端はダイオードＤ２３のカソードと抵抗Ｒ２２の一端に接続される。抵抗Ｒ２１の他端および抵抗Ｒ２２の他端はグランド電位に接続される。ダイオードＤ２２のアノードと、減衰器２２の出力端と、ダイオードＤ２３のアノードとは第３端子Ｔ２３に接続される。
【００４８】
また、高周波阻止用コイルＭ２１の一端は第２端子Ｔ２２に接続され、高周波阻止用コイルＭ２１の他端はダイオードＤ２１のアノードに接続される。ダイオードＤ２１のカソードはアンプＡ２１の電源端子に接続される。高周波阻止用コイルＭ２２の一端は第３端子Ｔ２３に接続され、高周波阻止用コイルＭ２２の他端は単極双投スイッチＳＷ１の制御端子とダイオードＤ２４のアノードとに接続される。ダイオードＤ２４のカソードは高周波阻止用コイルＭ２３を介してアンプＡ２１の電源端子に接続される。
【００４９】
なお、単極双投スイッチＳＷ２１は、制御端子に所定のＤＣ電力（例えばＤＣ１５Ｖ電力）が供給されていない場合に接点ａを選択し、制御端子に所定のＤＣ電力が供給されている場合に接点ｂを選択する。
【００５０】
上記のような構成である図３Ａに示す本発明の第３実施形態に係るブースターの動作について説明する。
【００５１】
まず、第２端子Ｔ２２に所定のＤＣ電力を重畳した場合の動作について説明する。この場合、第３端子Ｔ２３に所定のＤＣ電力が重畳されないので、単極双投スイッチＳＷ２１の制御端子に所定のＤＣ電力が供給されず、単極双投スイッチＳＷ２１は接点ａを選択する。また、第３端子Ｔ２３に所定のＤＣ電力が重畳されないので、ダイオードＤ２２〜Ｄ２４はオフ状態になる。一方、第２端子Ｔ２２に所定のＤＣ電力が重畳されるので、ダイオードＤ２１はオン状態になる。そして、第２端子Ｔ２２に外部から重畳される所定のＤＣ電力は高周波阻止用コイルＭ２１およびオン状態であるダイオードＤ２１を介してアンプＡ２１の電源端子に供給され、その所定のＤＣ電力によってアンプＡ２１が駆動する。
【００５２】
その結果、第１端子Ｔ２１はＣＡＴＶ帯域のテレビジョン放送信号を入力する機能を担い、第２端子Ｔ２２はＣＡＴＶ帯域のテレビジョン放送信号を出力する機能を担い、第３端子Ｔ２３はＣＡＴＶ帯域のテレビジョン放送信号出力をモニターするための出力モニター信号を出力する機能を担う。そこで、例えば、図３Ｂに示すように、第１端子Ｔ２１にＣＡＴＶ局４０１から送信されるＣＡＴＶ帯域のテレビジョン放送信号を伝送するための伝送線の終端を接続し、第２端子Ｔ２２にＤＣ電源供給器４０２を介してテレビジョン放送受信機４０３を接続し、第３端子Ｔ２３に測定器（レベルチェッカー）４０４を接続するとよい。
【００５３】
第１端子Ｔ２１に入力されたＣＡＴＶ帯域のテレビジョン放送信号は、アンプＡ２１によって増幅され、７０〜７７０ＭＨｚ帯域通過フィルタ２０を通過する。７０〜７７０ＭＨｚ帯域通過フィルタ２０を通過した信号（増幅されたＣＡＴＶ帯域のテレビジョン放送信号）は、単極双投スイッチＳＷ２１および直流阻止用コンデンサＣ２１を経由して第２端子Ｔ２２から出力されるとともに、減衰器２２によって減衰され第３端子Ｔ２３から出力モニター信号（ＣＡＴＶ帯域のテレビジョン放送信号出力をモニターするための出力モニター信号）として出力される。
【００５４】
したがって、例えばＣＡＴＶ帯域のテレビジョン放送信号を増幅する仕様（ＣＡＴＶ帯ブースター）にするときには、第２端子Ｔ２２に所定のＤＣ電力を重畳するとよい。
【００５５】
次に、第３端子Ｔ２３に所定のＤＣ電力を重畳した場合の動作について説明する。この場合、第３端子Ｔ２３に所定のＤＣ電力が重畳されるので、単極双投スイッチＳＷ２１の制御端子に所定のＤＣ電力が供給され、単極双投スイッチＳＷ２１は接点ｂを選択する。また、第３端子Ｔ２３に所定のＤＣ電力が重畳されるので、ダイオードＤ２２〜Ｄ２４はオン状態になる。ダイオードＤ２２およびＤ２３がオン状態になるので、ＵＨＦ帯域通過フィルタ２１および減衰器２３にそれぞれ信号が入力され、ＵＨＦ帯域通過フィルタ２１および減衰器２３が機能する。一方、第２端子Ｔ２２に所定のＤＣ電力が重畳されないので、ダイオードＤ２１はオフ状態になる。そして、第３端子Ｔ２３に外部から重畳される所定のＤＣ電力は高周波阻止用コイルＭ２２、オン状態であるダイオードＤ２４、および高周波阻止用コイルＭ２３を介してアンプＡ２１の電源端子に供給され、その所定のＤＣ電力によってアンプＡ２１が駆動する。
【００５６】
その結果、第１端子Ｔ２１はＵＨＦ帯域のテレビジョン放送信号を入力する機能を担い、第２端子Ｔ２２はＵＨＦ帯域のテレビジョン放送信号出力をモニターするための出力モニター信号を出力する機能を担い、第３端子Ｔ２３はＵＨＦ帯域のテレビジョン放送信号を出力する機能を担う。そこで、例えば、図３Ｃに示すように、第１端子Ｔ２１にＵＨＦアンテナ４０５を接続し、第２端子Ｔ２２に測定器（レベルチェッカー）４０４を接続し、第３端子Ｔ２３にＤＣ電源供給器４０２を介してテレビジョン放送受信機４０３を接続するとよい。
【００５７】
第１端子Ｔ２１に入力されたＵＨＦ帯域のテレビジョン放送信号は、アンプＡ２１によって増幅され、７０〜７７０ＭＨｚ帯域通過フィルタ２０およびＵＨＦ帯通過フィルタ２１を通過し、オン状態であるダイオードＤ２２を経由して第３端子Ｔ２３から出力される。
【００５８】
また、第１端子Ｔ２１に入力されたＵＨＦ帯域のテレビジョン放送信号は、アンプＡ２１によって増幅され、７０〜７７０ＭＨｚ帯域通過フィルタ２０を通過し、ＵＨＦ帯通過フィルタ２１およびオン状態であるダイオードＤ２２のインピーダンスよりも減衰器２２の方がインピーダンスが大きいために減衰器２２は経由せずにＵＨＦ帯通過フィルタ２１およびオン状態であるダイオードＤ２２を経由し、さらにオン状態であるダイオードＤ２３を経由して減衰器２３によって減衰され、単極双投スイッチＳＷ２１および直流阻止用コンデンサＣ２１を経由して第２端子Ｔ２２から出力モニター信号（ＵＨＦ帯域のテレビジョン放送信号出力をモニターするための出力モニター信号）として出力される。
【００５９】
したがって、第３端子Ｔ２３に所定のＤＣ電力を重畳することで、出力レベルをモニターできる。これにより、本発明の第３実施形態に係るブースターをＵＨＦブースターとして使用し、ＵＨＦアンテナ４０５で受信したＵＨＦ帯域のテレビジョン放送信号の増幅後のレベルを出力モニター端子（第２端子Ｔ２２）より測定器（レベルチェッカー）４０４を用いて確認することができる。また、出力モニター端子（第２端子Ｔ２２）から出力される出力モニター信号のレベルを確認しながら、ＵＨＦアンテナ４０５を最良の方向（送信局側）に調整することもできる。
【００６０】
上記の通り、所定のＤＣ電力が重畳される端子を変更することで第２端子Ｔ２２が担う機能と第３端子Ｔ２３が担う機能を変更することができる。これにより、各端子の担う機能が固定される構成に比べて、端子数を少なくすることができる。
【００６１】
＜第４実施形態＞
図４Ａに示す本発明の第４実施形態に係るブースターは、第１端子Ｔ３１と、第２端子Ｔ３２と、第３端子Ｔ３３とを備える。また、図４Ａに示す本発明の第４実施形態に係るブースターは、第１端子Ｔ３１、第２端子Ｔ３２、および第３端子Ｔ３３とに接続される電子回路を備える。当該電子回路は、アンプＡ３１と、単極双投スイッチＳＷ３１と、分岐器３０と、減衰器３１と、分配器３２と、直流阻止用コンデンサＣ３１およびＣ３２と、ダイオードＤ３１〜Ｄ３６と、高周波阻止用コイルＭ３１〜Ｍ３６と、抵抗Ｒ３１およびＲ３２とによって構成される。なお、アンプＡ３１と単極双投スイッチＳＷ３１との間にＵＨＦ帯域通過フィルタを備えるようにしてもよい。
【００６２】
第１端子Ｔ３１は、アンプＡ３１を介して単極双投スイッチＳＷ３１の極に接続される。単極双投スイッチＳＷ３１の接点ａは分岐器３０の入力端に接続される。分岐器３０の幹線出力端はダイオードＤ３１のアノードに接続され、ダイオードＤ３１のカソードは抵抗Ｒ３１の一端に接続されるとともに、直流阻止用コンデンサＣ３１を介して第２端子Ｔ３２に接続される。抵抗Ｒ３１の他端はグランド電位に接続される。分岐器３０の分岐出力端は減衰器３１の入力端に接続され、減衰器３１の出力端はダイオードＤ３２のアノードに接続され、ダイオードＤ３２のカソードは抵抗Ｒ３２の一端に接続されるとともに、直流阻止用コンデンサＣ３２を介して第３端子Ｔ３３に接続される。抵抗Ｒ３２の他端はグランド電位に接続される。
【００６３】
単極双投スイッチＳＷ３１の接点ｂは分配器３２の入力端に接続される。分配器３２の一方の出力端はダイオードＤ３３のアノードに接続され、ダイオードＤ３３のカソードはダイオードＤ３１のカソードに接続される。分配器３２の他方の出力端はダイオードＤ３４のアノードに接続され、ダイオードＤ３４のカソードはダイオードＤ３２のカソードに接続される。
【００６４】
また、高周波阻止用コイルＭ３１の一端は第２端子Ｔ３２に接続される。高周波阻止用コイルＭ３１の他端は、高周波阻止用コイルＭ３３を介してダイオードＤ３１のアノードに接続され、高周波阻止用コイルＭ３４を介してダイオードＤ３２のアノードに接続され、ダイオードＤ３５のアノードに接続される。高周波阻止用コイルＭ３２の一端は第３端子Ｔ３３に接続される。高周波阻止用コイルＭ３２の他端は、単極双投スイッチＳＷ３１の制御端子に接続され、高周波阻止用コイルＭ３６を介してダイオードＤ３４のアノードに接続され、ダイオードＤ３６のアノードに接続される。ダイオードＤ３４のアノードは高周波阻止用コイルＭ３５を介してダイオードＤ３３のアノードに接続される。
【００６５】
なお、単極双投スイッチＳＷ３１は、制御端子に所定のＤＣ電力（例えばＤＣ１５Ｖ電力）が供給されていない場合に接点ａを選択し、制御端子に所定のＤＣ電力が供給されている場合に接点ｂを選択する。
【００６６】
上記のような構成である図４Ａに示す本発明の第４実施形態に係るブースターの動作について説明する。
【００６７】
まず、第２端子Ｔ３２に所定のＤＣ電力を重畳した場合の動作について説明する。この場合、第３端子Ｔ３３に所定のＤＣ電力が重畳されないので、単極双投スイッチＳＷ３１の制御端子に所定のＤＣ電力が供給されず、単極双投スイッチＳＷ３１は接点ａを選択する。また、第３端子Ｔ３３に所定のＤＣ電力が重畳されないので、ダイオードＤ３３、ダイオードＤ３４、およびダイオードＤ３６はオフ状態になる。一方、第２端子Ｔ３２に所定のＤＣ電力が重畳されるので、ダイオードＤ３１、ダイオードＤ３２、およびダイオードＤ３５はオン状態になる。そして、第２端子Ｔ３２に外部から重畳される所定のＤＣ電力は高周波阻止用コイルＭ３１およびオン状態であるダイオードＤ３５を介してアンプＡ３１の電源端子に供給され、その所定のＤＣ電力によってアンプＡ３１が駆動する。
【００６８】
その結果、第１端子Ｔ３１はＵＨＦ帯域のテレビジョン放送信号を入力する機能を担い、第２端子Ｔ３２はＵＨＦ帯域のテレビジョン放送信号を出力する機能を担い、第３端子Ｔ３３はＵＨＦ帯域のテレビジョン放送信号出力をモニターするための出力モニター信号を出力する機能を担う。そこで、例えば、図４Ｂに示すように、第１端子Ｔ３１にＵＨＦアンテナ５０１を接続し、第２端子Ｔ３２にＤＣ電源供給器５０２を介してテレビジョン放送受信機５０３を接続し、第３端子Ｔ３３に測定器（レベルチェッカー）５０４を接続するとよい。
【００６９】
第１端子Ｔ３１に入力されたＵＨＦ帯域のテレビジョン放送信号は、アンプＡ３１によって増幅される。アンプＡ３１によって増幅されたＵＨＦ帯域のテレビジョン放送信号は、単極双投スイッチＳＷ３１、分岐器３０の幹線側、ダイオードＤ３１、および直流阻止用コンデンサＣ３１を経由して第２端子Ｔ３２から出力される。また、アンプＡ３１によって増幅されたＵＨＦ帯域のテレビジョン放送信号は、単極双投スイッチＳＷ３１および分岐器３０の分岐側を経由し、減衰器３１によって減衰され、ダイオードＤ３２および直流阻止用コンデンサＣ３２を経由して第３端子Ｔ３３から出力モニター信号として出力される。
【００７０】
したがって、第２端子Ｔ３２に所定のＤＣ電力を重畳することで、出力レベルをモニターできる。これにより、本発明の第４実施形態に係るブースターをＵＨＦブースターとして使用し、ＵＨＦアンテナ５０１で受信したＵＨＦ帯域のテレビジョン放送信号の増幅後のレベルを出力モニター端子（第３端子Ｔ３３）より測定器（レベルチェッカー）５０４を用いて確認することができる。また、出力モニター端子（第３端子Ｔ３３）から出力される出力モニター信号のレベルを確認しながら、ＵＨＦアンテナ５０１を最良の方向（送信局側）に調整することもできる。
【００７１】
次に、第３端子Ｔ３３に所定のＤＣ電力を重畳した場合の動作について説明する。この場合、第３端子Ｔ３３に所定のＤＣ電力が重畳されるので、単極双投スイッチＳＷ３１の制御端子に所定のＤＣ電力が供給され、単極双投スイッチＳＷ３１は接点ｂを選択する。また、第３端子Ｔ３３に所定のＤＣ電力が重畳されるので、ダイオードＤ３３、ダイオードＤ３４、およびダイオードＤ３６はオン状態になる。一方、第２端子Ｔ３２に所定のＤＣ電力が重畳されないので、ダイオードＤ３１、ダイオードＤ３２、およびダイオードＤ３５はオフ状態になる。そして、第３端子Ｔ３３に外部から重畳される所定のＤＣ電力は高周波阻止用コイルＭ３２と、オン状態であるダイオードＤ３６とを介してアンプＡ３１の電源端子に供給され、その所定のＤＣ電力によってアンプＡ３１が駆動する。
【００７２】
その結果、第１端子Ｔ３１はＵＨＦ帯域のテレビジョン放送信号を入力する機能を担い、第２端子Ｔ３２はＵＨＦ帯域のテレビジョン放送信号の一方の分配信号を出力する機能を担い、第３端子Ｔ３３はＵＨＦ帯域のテレビジョン放送信号の他方の分配信号を出力する機能を担う。そこで、例えば、図４Ｃに示すように、第１端子Ｔ３１にＵＨＦアンテナ５０１を接続し、第２端子Ｔ３２にテレビジョン放送受信機５０５を接続し、第３端子Ｔ３３にＤＣ電源供給器５０２を介してテレビジョン放送受信機５０３を接続するとよい。
【００７３】
第１端子Ｔ３１に入力されたＵＨＦ帯域のテレビジョン放送信号は、アンプＡ３１によって増幅される。アンプＡ３１によって増幅されたＵＨＦ帯域のテレビジョン放送信号は、単極双投スイッチＳＷ３１を経由して、分配器３２によって分配される。分配器３２の一方の出力端から出力された信号は、オン状態であるダイオードＤ３３と、直流阻止用コンデンサＣ３１とを経由して第２端子Ｔ３２から出力される。分配器３２の他方の出力端から出力された信号は、オン状態であるダイオードＤ３４と、直流阻止用コンデンサＣ３２とを経由して第３端子Ｔ３３から出力される。
【００７４】
したがって、例えばＵＨＦ帯域のテレビジョン放送信号を分配するときには、第３端子Ｔ３３に所定のＤＣ電力を重畳するとよい。
【００７５】
上記の通り、所定のＤＣ電力が重畳される端子を変更することで第２端子Ｔ３２が担う機能と第３端子Ｔ３３が担う機能を変更することができる。これにより、各端子の担う機能が固定される構成に比べて、端子数を少なくすることができる。
【００７６】
＜変形例＞
以上、本発明に係る実施形態について説明したが、本発明の範囲はこれに限定されるものではなく、発明の主旨を逸脱しない範囲で種々の変更を加えて実行することができる。
【００７７】
例えば、上述した実施形態において図面で図示している帯域通過フィルタの回路構成や減衰器の回路構成は例示であるので、他の回路構成であってよい。
【００７８】
また、例えば、上述した実施形態では、端子に重畳される電力はＤＣ電力であったが、ＡＣ電力であってもよい。この場合、端子に重畳される電力によって駆動する回路（例えばアンプ）をＡＣ電力で駆動する回路とすればよい。
【符号の説明】
【００７９】
Ａ１、Ａ１１、Ａ２１、Ａ３１  アンプ
Ｃ１、Ｃ１１、Ｃ１２、Ｃ２１、Ｃ２２、Ｃ３１、Ｃ３２  直流阻止用コンデンサ
Ｄ１、Ｄ２、Ｄ１１〜Ｄ１３、Ｄ２１〜Ｄ２４、Ｄ３１〜Ｄ３６  ダイオード
Ｍ１〜Ｍ３、Ｍ１１〜Ｍ１５、Ｍ２１〜Ｍ２３、Ｍ３１〜Ｍ３６  高周波阻止用コイル
Ｒ１、Ｒ１１、Ｒ２１、Ｒ２２、Ｒ３１、Ｒ３２  抵抗
ＳＷ１、ＳＷ１１、ＳＷ２１、ＳＷ３１  単極双投スイッチ
Ｔ１、Ｔ１１、Ｔ２１、Ｔ３１  第１端子
Ｔ２、Ｔ１２、Ｔ２２、Ｔ３２  第２端子
Ｔ３、Ｔ１３、Ｔ２３、Ｔ３３  第３端子
１、１１、２１  ＵＨＦ帯域通過フィルタ
２、１２、２２、２３、３１  減衰器
３、１３  ＣＳ／ＢＳ−ＩＦ帯域通過フィルタ
１０、３０  分岐器
２０  ７０〜７７０ＭＨｚ帯域通過フィルタ
３２  分配器
１０１  ＶＨＦ入力端子
１０２  ＵＨＦ／ＵＨＦ・ＶＨＦ入力端子
１０３  ＢＳ−ＩＦ入力端子
１０４  手動開閉スイッチ
１０５〜１０７  フィルタ
１０８〜１１０  ゲインコントロール部
１１１〜１１３  アンプ
１１４  混合器
１１５  分岐器
１１６  出力端子
１１７  モニター端子
１１８  高周波阻止用コイル
２０１、３０１、４０５、５０１  ＵＨＦアンテナ
２０２、３０２、３０５、４０２、５０２  ＤＣ電源供給器
２０３、３０３、４０３、５０３、５０５  テレビジョン放送受信機
２０４、３０４、４０４、５０４  測定器
２０５、３０６  ＢＳ／ＣＳ受信用パラボラアンテナ
２０６、３０７  コンバータ
４０１  ＣＡＴＶ局
【図１Ａ】
0005727199.tif 000002
【図１Ｂ】
0005727199.tif 000003
【図１Ｃ】
0005727199.tif 000004
【図２Ａ】
0005727199.tif 000005
【図２Ｂ】
0005727199.tif 000006
【図２Ｃ】
0005727199.tif 000007
【図３Ａ】
0005727199.tif 000008
【図３Ｂ】
0005727199.tif 000009
【図３Ｃ】
0005727199.tif 000010
【図４Ａ】
0005727199.tif 000011
【図４Ｂ】
0005727199.tif 000012
【図４Ｃ】
0005727199.tif 000013
【図５】
0005727199.tif 000014
【図６】
0005727199.tif 000015